(57)【特許請求の範囲】
【請求項１】
制御部品と、スクリーンカバープレート、表示部品、指紋検出手段及び複数のタッチ信号検出手段を有するスクリーンとを備え、
前記指紋検出手段および前記複数のタッチ信号検出手段は、前記スクリーンカバープレートと前記表示部品の上面との間に設けられており、
前記タッチ信号検出手段は、前記スクリーンカバープレートと前記表示部品の上面との間に均一に分布され、前記指紋検出手段は、異なるタッチ信号検出手段間の空き領域に設けられており、
前記指紋検出手段は、長尺状の指紋検出手段であり、
前記制御部品は、
前記指紋検出手段に電気的に接続されており、
前記指紋検出手段の検出信号を取得し、前記指紋検出手段の検出信号に基づいて、ユーザの指のスライド方向と長尺状の前記指紋検出手段とは所定の角度条件を満たすと判定する場合、指紋データを生成し、前記指紋データを予め記憶された基準指紋データと比較し、前記指紋データが前記基準指紋データと整合した場合、所定の制御指令を実行する、ことを特徴とする指紋識別機能付き端末。
【請求項２】
前記制御部品は、指紋識別器とプロセッサとを有し、
前記指紋識別器は、前記指紋検出手段に電気的に接続されるとともに、前記プロセッサに電気的に接続されており、
前記指紋識別器は、前記指紋検出手段の検出信号を取得し、前記指紋検出手段の検出信号に基づいて指紋データを生成し、
前記プロセッサは、前記指紋データを予め記憶された基準指紋データと比較し、前記指紋データが前記基準指紋データと整合した場合、所定の制御指令を実行することを特徴とする請求項１に記載の指紋識別機能付き端末。
【請求項３】
前記制御部品は、タッチコントローラをさらに有し、
前記タッチコントローラは、それぞれ前記複数のタッチ信号検出手段に電気的に接続されるとともに、前記プロセッサに電気的に接続されていることを特徴とする請求項２に記載の指紋識別機能付き端末。
【請求項４】
前記指紋検出手段は複数あり、複数の指紋検出手段は平行に配列されていることを特徴とする請求項１に記載の指紋識別機能付き端末。
【請求項５】
前記指紋検出手段は、異なるタッチ信号検出手段間の空き領域に横向きで設けられ、または、
異なるタッチ信号検出手段間の空き領域に縦向きで設けられていることを特徴とする請求項１に記載の指紋識別機能付き端末。
【請求項６】
前記指紋検出手段は、前記スクリーンカバープレートと前記表示部品の上面との間の、平面の水平方向における下半領域に設けられていることを特徴とする請求項１に記載の指紋識別機能付き端末。
【請求項７】
前記スクリーンのスクリーンカバープレートと表示部品との間には透明フィルムが設けられており、前記複数のタッチ信号検出手段と前記指紋検出手段とが前記透明フィルムに設けられていることを特徴とする請求項１に記載の指紋識別機能付き端末。
【請求項８】
前記指紋検出手段は、ナノシルバー、カーボンナノチューブ、グラフェンのうちの１つまたは複数からなることを特徴とする請求項１に記載の指紋識別機能付き端末。
【請求項９】
前記制御部品は、
前記指紋検出手段によって検出された静電容量値を取得し、前記指紋検出手段によって検出された静電容量値に基づいて指紋データを生成することを特徴とする請求項１に記載の指紋識別機能付き端末。
【発明の詳細な説明】
【相互参照】
【０００１】
本発明は、出願番号が２０１５１０６９５５３９.８であり、出願日が２０１５年１０月２２日である中国特許出願を基に提出するものであり、当該中国特許出願の優先権を主張し、当該中国特許出願の全ての内容は、参照のため本願に援用される。
【技術分野】
【０００２】
本開示は、コンピュータ技術分野に関し、特に、指紋識別機能付き端末に関する。
【背景技術】
【０００３】
移動端末技術の発展に伴って、移動端末は広く用いられており、人々の日常仕事、生活における最も重要なツールの一つとなっている。移動端末の使用中において、ユーザ情報の安全性を確保するために、移動端末には、移動端末でアンロックまたは支払いといった安全性要求が高い操作を行うための指紋識別機能を設けている。
【０００４】
実際には、移動端末は、一般的に指紋検出器によって指紋の画像を検出し、スクリーンのカバープレートにおける指紋検出器に対応する箇所に、対応する検出孔が設けられている。ユーザが検出孔を指で覆い、指紋検出器の検出端と接触して、指紋検出器が検出された検出信号に基づいて指紋画像データを生成することで、移動端末は指紋識別処理を行う。
【発明の概要】
【発明が解決しようとする課題】
【０００５】
本開示を実現する過程には、発明者らは少なくとも下記の課題を見出した。すなわち、移動端末のカバープレートにおける指紋検出器に対応する箇所には、対応する検出孔が設けられているため、カバープレートの強度が悪くなり、カバープレートが壊れやすい。
【課題を解決するための手段】
【０００６】
関連技術に存在する問題を解決するために、本開示は、指紋識別機能付き端末を提供する。前記技術案は下記の通りである。
【０００７】
本開示の実施例の第１の態様によれば、指紋識別機能付き端末を提供する。前記端末は、制御部品と、スクリーンカバープレート、表示部品、指紋検出手段及び複数のタッチ信号検出手段を有するスクリーンとを備え、前記指紋検出手段および前記複数のタッチ信号検出手段は、前記スクリーンカバープレートと前記表示部品の上面との間に設けられており、前記指紋検出手段は、異なるタッチ信号検出手段間の空き領域に設けられており、前記制御部品は、前記指紋検出手段に電気的に接続されており、前記指紋検出手段の検出信号を取得し、前記指紋検出手段の検出信号に基づいて指紋データを生成し、前記指紋データを予め記憶された基準指紋データと比較し、前記指紋データが前記基準指紋データと整合した場合、所定の制御指令を実行する。
【０００８】
好ましくは、前記制御部品は、指紋識別器とプロセッサとを有し、前記指紋識別器は、前記指紋検出手段に電気的に接続されるとともに、前記プロセッサに電気的に接続されており、前記指紋識別器は、前記指紋検出手段の検出信号を取得し、前記指紋検出手段の検出信号に基づいて指紋データを生成し、前記プロセッサは、前記指紋データを予め記憶された基準指紋データと比較し、前記指紋データが前記基準指紋データと整合した場合、所定の制御指令を実行する。
【０００９】
好ましくは、前記制御部品は、タッチコントローラをさらに有し、前記タッチコントローラはそれぞれ前記複数のタッチ信号検出手段に電気的に接続されるとともに、前記プロセッサに電気的に接続されている。
【００１０】
好ましくは、前記指紋検出手段は、長尺状の指紋検出手段である。
【００１１】
好ましくは、前記指紋検出手段は複数あり、複数の指紋検出手段は平行に配列されている。
【００１２】
好ましくは、前記指紋検出手段は、異なるタッチ信号検出手段間の空き領域に横向きで設けられ、または、異なるタッチ信号検出手段間の空き領域に縦向きで設けられている。
【００１３】
好ましくは、前記指紋検出手段は、前記スクリーンカバープレートと前記表示部品の上面との間の下半領域に設けられている。
【００１４】
これによれば、ユーザの操作を便利にすることができる。
【００１５】
好ましくは、前記スクリーンのスクリーンカバープレートと表示部品との間には透明フィルムが設けられており、前記複数のタッチ信号検出手段と前記指紋検出手段とが前記透明フィルムに設けられている。
【００１６】
これによれば、タッチ信号検出手段と指紋検出手段の実装ミスによるスクリーン廃棄の現象を防止することができ、リソースの利用率を向上させることができる。
【００１７】
好ましくは、前記指紋検出手段は、ナノシルバー、カーボンナノチューブ、グラフェンのうちの１つまたは複数からなる。
【００１８】
好ましくは、前記制御部品は、前記指紋検出手段によって検出された静電容量値を取得し、前記指紋検出手段によって検出された静電容量値に基づいて指紋データを生成する。
【発明の効果】
【００１９】
本開示の実施例による技術案は、以下の格別な作用効果を含むことができる。本開示の実施例では、端末は、制御部品と、スクリーンカバープレート、表示部品、指紋検出手段及び複数のタッチ信号検出手段を有するスクリーンとを備え、指紋検出手段および複数のタッチ信号検出手段は、スクリーンカバープレートと表示部品の上面との間に設けられており、指紋検出手段は、異なるタッチ信号検出手段間の空き領域に設けられており、制御部品は、指紋検出手段に電気的に接続されており、指紋検出手段の検出信号を取得し、指紋検出手段の検出信号に基づいて指紋データを生成し、指紋データを予め記憶された基準指紋データと比較し、指紋データが基準指紋データと整合した場合、所定の制御指令を実行する。これによって、端末は、スクリーンカバープレートと表示部品の上面との間の指紋検出手段の検出信号に基づいて指紋識別を行うことができ、スクリーンカバープレートに検出孔を設ける必要がなく、スクリーンカバープレートの強度を向上させることができる。
【００２０】
上述した一般的な記述および後続の詳細な記述は、単に例示的および解釈的なものであり、本発明を制限できるものでないと理解されるべきである。
【図面の簡単な説明】
【００２１】
ここでの図面は、明細書を構成する一部として見なされ、本開示に適した実施例を示し、かつ、明細書の文字記載とともに本開示の仕組みを解釈するために用いられる。
【図１】実施例による端末の構造模式図である。
【図２】実施例による端末の構造模式図である。
【図３】実施例による端末の構造模式図である。
【図４】実施例による端末の構造模式図である。
【図５】実施例による端末の構造模式図である。
【図６ａ】実施例による端末の構造模式図である。
【図６ｂ】実施例による端末の構造模式図である。
【図７ａ】実施例による端末の構造模式図である。
【図７ｂ】実施例による端末の構造模式図である。
【００２２】
上記図面には本開示の明確な実施例を示しており、後述にはより詳細に記述する。これら図面及び文字記述は、本開示思想の範囲を限定するものではなく、特定実施例を参照して本開示の概念を説明するためのものである。
【発明を実施するための形態】
【００２３】
次に、実施例を詳細に説明し、例示が図に示されている。以下の記述が図に係る場合、別途にて示さない限り、異なる図面における同じ符号は、同じまたは類似する要素を示す。以下の実施例に記述される実施形態は、本発明と一致する全ての実施形態を代表するとは限らない。逆に、それらは、添付の特許請求の範囲に記載されているように、本発明の一部の局面と一致する装置および方法の例に過ぎない。
【００２４】
本開示のある実施例は、指紋識別機能付き端末を提供する。図１に示すように、当該端末は、制御部品１とスクリーン２とを備え、図２に示すように、スクリーン２は、スクリーンカバープレート３、表示部品４、指紋検出手段５及び複数のタッチ信号検出手段６を有する。
【００２５】
指紋検出手段５と複数のタッチ信号検出手段６とは、スクリーンカバープレート３と表示部品４の上面との間に設けられており、指紋検出手段５は、異なるタッチ信号検出手段６間の空き領域中に設けられており、制御部品１は、指紋検出手段５に電気的に接続されており、指紋検出手段５の検出信号を取得し、指紋検出手段５の検出信号に基づいて指紋データを生成し、指紋データを予め記憶された基準指紋データと比較し、指紋データが基準指紋データと整合した場合、所定の制御指令を実行する。
【００２６】
本開示の実施例では、端末は、制御部品と、スクリーンカバープレート、表示部品、指紋検出手段及び複数のタッチ信号検出手段を有するスクリーンとを備え、指紋検出手段と複数のタッチ信号検出手段とは、スクリーンカバープレートと表示部品の上面との間に設けられており、指紋検出手段は、異なるタッチ信号検出手段間の空き領域に設けられており、制御部品は、指紋検出手段に電気的に接続されており、指紋検出手段の検出信号を取得し、指紋検出手段の検出信号に基づいて指紋データを生成し、指紋データを予め記憶された基準指紋データと比較し、指紋データが基準指紋データと整合した場合、所定の制御指令を実行する。これによって、端末は、スクリーンカバープレートと表示部品の上面との間の指紋検出手段の検出信号に基づいて指紋識別を行うことができ、スクリーンカバープレートに検出孔を設ける必要がなく、スクリーンカバープレートの強度を向上させることができる。
【００２７】
本開示の別の実施例は、指紋識別機能付き端末を提供する。当該端末は、制御部品１と、スクリーンカバープレート３、表示部品４、指紋検出手段５及び複数のタッチ信号検出手段６を有するスクリーン２とを備え、指紋検出手段５および複数のタッチ信号検出手段６は、スクリーンカバープレート３と表示部品４の上面との間に設けられており、指紋検出手段５は、異なるタッチ信号検出手段６間の空き領域中に設けられており、制御部品１は、指紋検出手段５に電気的に接続されており、指紋検出手段５の検出信号を取得し、指紋検出手段５の検出信号に基づいて指紋データを生成し、指紋データを予め記憶された基準指紋データと比較し、指紋データが基準指紋データと整合した場合、所定の制御指令を実行する。
【００２８】
実施中において、端末は、制御部品１とスクリーン２とを備えても良い。スクリーン２は、スクリーンカバープレート３、表示部品４、指紋検出手段５及び複数のタッチ信号検出手段６を有しても良い。指紋検出手段５とタッチ信号検出手段６は、ナノシルバー、カーボンナノチューブ、グラフェンのうちの１つまたは複数の材料によって製造されても良いし、銅線を含んでも良く、これらの材料は、ナノスケールの金属ワイヤとして製造され、スクリーンカバープレート３と表示部品４の上面との間に設けられても良く、例えば、指紋検出手段５とタッチ信号検出手段６とは、表示部品４の上面に直接に設けられても良い。タッチ信号検出手段６は、一定の方式で配列されても良く、指紋検出手段５は、異なるタッチ信号検出手段６間の空き領域に設けられても良い。上記設計によれば、スクリーンカバープレート３が平らで無孔の構造を有することができ、スクリーンカバープレート３の強度を向上させることができ、端末を落としてスクリーンカバープレート３を壊れやすいことを回避できる。
【００２９】
制御部品１は、端末の内部に設けられても良く、指紋検出手段５に電気的に接続されることで、指紋検出手段５の検出信号を取得し、指紋検出手段５の検出信号に基づいて指紋データを生成する。制御部品１には、指紋検出手段５の検出信号を濾過及び増幅するように、信号フィルタリングシステム、増幅回路及びＡＤ（Ａｎａｌｏｇ Ｄｉｇｉｔａｌ）サンプリングモジュールなどが設けられても良い。制御部品１には基準指紋データを予め記憶しても良く、基準指紋データは複数回検出して得られたユーザの指紋データの平均値であっても良い。ユーザは端末の指紋設定ページにおいて指紋設定オプションをクリックすることができ、端末は指紋設定指令を受信し、それから、制御部品１は、指紋検出手段５の検出信号を取得し、指紋データを生成することができ、さらに、生成された指紋データを記憶することができる。端末は、ユーザの指紋を複数回検出しても良く、制御部品１は、複数回検出された指紋データの平均値を基準指紋データとして特定しても良い。
【００３０】
制御部品１は、生成された指紋データを予め記憶された基準指紋データと比較し、生成された指紋データと基準指紋データとの類似度を特定しても良く、生成された指紋データと基準指紋データとの類似度が所定の類似度範囲内にあれば、所定の制御指令を実行しても良い。制御部品１は、生成された指紋データと基準指紋データとの類似度が所定の類似度範囲内にあると特定した後、端末の現在インターフェース表示状態を検出し、さらに、現在インターフェースの表示の状態と組み合わせて、異なる制御指令を実行しても良い。例えば、制御部品１は、生成された指紋データと基準指紋データとの類似度が所定の類似度範囲内にあると特定した後、端末現在のインターフェース表示状態がアンロック待ち状態にあると検出した場合、アンロック処理を行っても良く、端末現在のインターフェース表示状態が支払い待ち状態にあると検出した場合、支払い処理を行っても良い。
【００３１】
好ましくは、制御部品１は、指紋識別器７とプロセッサ８とを有しても良い。指紋識別器７は、指紋検出手段５に電気的に接続されても良く、かつ、プロセッサ８に電気的に接続されても良い。指紋識別器７は、指紋検出手段５の検出信号を取得し、指紋検出手段５の検出信号に基づいて指紋データを生成しても良い。プロセッサ８は、指紋データを予め記憶された基準指紋データと比較し、指紋データが基準指紋データと整合した場合、所定の制御指令を実行しても良い。
【００３２】
実施中において、図３に示すように、制御部品１は指紋識別器７とプロセッサ８とを有しても良い。指紋識別器７とプロセッサ８とは、端末内部に設けられても良く、指紋識別器７は、指紋検出手段５に電気的に接続されてもよく、プロセッサ８に電気的に接続されても良い。指紋識別器７は、指紋検出手段５の検出信号を取得しても良く、それから、検出信号を処理して、検出信号をプロセッサ８が識別及び処理可能なデータに変換し、すなわち、指紋データを生成しても良く、かつ、生成された指紋データをプロセッサ８に送信しても良い。
【００３３】
プロセッサ８には、基準指紋データを予め記憶しても良く、基準指紋データは複数回検出して得られたユーザの指紋データの平均値であっても良い。ユーザは端末の指紋設定ページにおいて指紋設定オプションをクリックすることができ、端末は指紋設定指令を受信し、それから、端末の指紋識別器７は、指紋検出手段５の検出信号を取得して、指紋データを生成し、指紋データをプロセッサ８に送信しても良く、プロセッサ８は、受信された指紋データを記憶しても良い。端末は、ユーザの指紋を複数回検出し、検出された指紋データをプロセッサ８に送信しても良く、プロセッサ８はこれらの指紋データを受信した後、これらの指紋データの平均値を基準指紋データとして特定しても良い。
【００３４】
プロセッサ８は、指紋データを受信した後、受信された指紋データを予め記憶された基準指紋データと比較し、受信された指紋データと基準指紋データとの類似度を特定し、受信された指紋データと基準指紋データとの類似度が所定の類似度範囲内にあれば、所定の制御指令を実行しても良い。プロセッサ８は、受信された指紋データと基準指紋データとの類似度が所定の類似度範囲内にあると特定した後、端末現在のインターフェース表示状態を検出し、さらに、現在インターフェースの表示の状態と組み合わせて、異なる制御指令を実行しても良い。例えば、プロセッサ８は、受信された指紋データと基準指紋データとの類似度が所定の類似度範囲内にあると特定した後、端末現在のインターフェース表示状態がアンロック待ち状態にあると検出した場合、アンロック処理を行っても良く、端末現在のインターフェース表示状態が支払い待ち状態にあると検出した場合、支払い処理を行っても良い。
【００３５】
好ましくは、制御部品１はタッチコントローラ９をさらに有しても良い。タッチコントローラ９はそれぞれ複数のタッチ信号検出手段６に電気的に接続されてもよく、かつ、プロセッサ８に電気的に接続されても良い。
【００３６】
実施中において、制御部品１はタッチコントローラ９をさらに有しても良く、タッチコントローラ９はそれぞれ複数のタッチ信号検出手段６に電気的に接続されてもよく、かつ、プロセッサ８に接続されても良い。タッチコントローラ９は各タッチ信号検出手段６の検出信号を取得しても良く、かつ、取得された検出信号をプロセッサ８が識別及び処理可能なタッチデータに変換しても良く、さらに、処理されたタッチデータをプロセッサ８に送信しても良い。プロセッサ８は、タッチコントローラ９から送信されたタッチデータを受信し、受信されたタッチデータに基づいて対応する制御指令を実行しても良く、例えば、ユーザはあるアプリケーションプログラムのアイコンを短く押すと、当該アプリケーションプログラムを起動することができ、あるアプリケーションプログラムのアイコンを長く押すと、アプリケーションプログラム管理を行うことができ、例えば、当該アプリケーションプログラムを削除することができる。
【００３７】
好ましくは、指紋検出手段５は長尺状の指紋検出手段５であっても良い。
【００３８】
実施中において、指紋検出手段５は長尺状の指紋検出手段５であっても良い。ユーザが指紋識別の操作を行う時、指を指紋検出手段５の対応する領域内にスライドすることができ、ユーザの指のスライド方向と長尺状の指紋検出手段５とは所定の角度条件を満たす必要があり、例えば、スライド方向は、長尺状の指紋検出手段５に垂直する方向であってもよく、図４に示すように、スライド方向と長尺状の指紋検出手段５との角度は、所定の角度閾値よりも大きくても良い。
【００３９】
好ましくは、指紋検出手段５は複数あってもよく、複数の指紋検出手段５は平行に配列されてもよい。
【００４０】
実施中において、指紋検出手段５の数は１つであっても良いし、複数個であってもよい。指紋検出手段５の数を複数個とする場合、図５に示すように、複数の指紋検出手段５は平行に配列されてもよい。これによれば、大きい指領域を検出し、検出の効率を向上させることができる。
【００４１】
好ましくは、スクリーン２のスクリーンカバープレート３と表示部品４との間には透明フィルムが設けられており、複数のタッチ信号検出手段６と指紋検出手段５とが透明フィルムに設けられている。
【００４２】
実施中において、スクリーン２のスクリーンカバープレート３と表示部品４との間には透明フィルムが設けられてもよく、複数のタッチ信号検出手段６と指紋検出手段５とが透明フィルムに設けられても良い。透明フィルムのコストが低いため、生産過程には、タッチ信号検出手段６と指紋検出手段５の実装ミスによってスクリーンカバープレート３が無駄になる現象を有効に防止することができ、リソースの利用率を向上させることができる。
【００４３】
好ましくは、指紋検出手段５は、異なるタッチ信号検出手段６間の空き領域に横向きで設けられもよく、または、異なるタッチ信号検出手段６間の空き領域に縦向きで設けられてもよい。
【００４４】
実施中において、指紋検出手段５の設置方式は多様であっても良い。指紋検出手段５が長尺状の指紋検出手段５であることを例として、異なるタッチ信号検出手段６間の空き領域には、指紋検出手段５を任意の形態で設けても良い。ユーザの指紋スライド識別操作を便利にするために、指紋検出手段５を異なるタッチ信号検出手段６間の空き領域に横向きで設けられもよく、または、異なるタッチ信号検出手段６間の空き領域に縦向きで設けられてもよく、または、異なるタッチ信号検出手段６間の空き領域に斜めに設けても良い。タッチ信号検出手段６の配列情况は多様であっても良い。以下、よく見られている２つの配列方式を例として説明する。
【００４５】
方式一としては、タッチ信号検出手段６は、格子形態でスクリーンカバープレート３と表示部品４の上面との間に設けられても良い。
【００４６】
実施中において、タッチ信号検出手段６は、点状のタッチ信号検出手段６であっても良く、例えば、ドット形状または４角形に設けられても良く、格子形態でスクリーンカバープレート３と表示部品４の上面との間に均一に分布されても良い、すなわち、固定の行間隔及び列間隔で分布されても良い。図６ａ、図６ｂに示すように、指紋検出手段５は、格子形態で配列されたタッチ信号検出手段６間の空き領域に横向きで設けられてもよく、格子形態で配列されたタッチ信号検出手段６間の空き領域に縦向きで設けられても良い。
【００４７】
方式二としては、複数のタッチ信号検出手段６は長尺であり、複数の長尺状のタッチ信号検出手段６は、縦横に入り込んだ形態で、スクリーンカバープレート３と表示部品４の上面との間に均一に分布されている。
【００４８】
実施中において、タッチ信号検出手段６は長尺であってもよく、複数の長尺状のタッチ信号検出手段６は、縦横に入り込んだ形態で、スクリーンカバープレート３と表示部品４の上面との間に均一に分布されている。スクリーン２のスクリーンカバープレート３と表示部品４との間には透明フィルムを設けても良く、横向きで配列されたタッチ信号検出手段６を第１の透明フィルムに設けてもよく、縦向きで配列されたタッチ信号検出手段６を第２の透明フィルムに設けてもよく、第１の透明フィルムと第２の透明フィルムとをスクリーンカバープレート３と表示部品４の上面との間に設けても良い。図７ａ、図７ｂに示すように、指紋検出手段５は、第１の透明フィルムに横向きで配列されたタッチ信号検出手段６間の空き領域に横向きで設けられもよく、第２の透明フィルムに縦向きで配列されたタッチ信号検出手段６間の空き領域に縦向きで設けられてもよい。
【００４９】
好ましくは、指紋検出手段５は、スクリーンカバープレート３と表示部品４の上面との間の下半領域に設けられてもよい。
【００５０】
実施中において、指紋検出手段５は、スクリーンカバープレート３と表示部品４の上面との間の任意の領域に設けられてもよい。ユーザの指紋スライド識別操作を便利にするために、指紋検出手段５をスクリーンカバープレート３と表示部品４の上面との間の下半領域に設けても良く、当該下半領域の中間位置に設けても良いし、当該下半領域の右寄りの位置に設けても良い。
【００５１】
好ましくは、制御部品１は、指紋検出手段５によって検出された静電容量値を取得し、指紋検出手段５によって検出された静電容量値に基づいて指紋データを生成するために用いられても良い。
【００５２】
実施中において、指紋表面に膨らむ部分を山と称し、くぼむ部分を谷と称しても良い。ユーザが指でスクリーン２をタッチする時、山から指紋検出手段５までの距離と、谷から指紋検出手段５までの距離とは、異なっている。指紋検出手段５によって検出された静電容量値と被検体から指紋検出手段５までの距離とは関係があるので、指で覆われる指紋検出手段５は山及び谷の箇所に異なる静電容量値を形成する。ユーザの指が指紋検出手段５にスライドしている時、指紋検出手段５は静電容量値を継続的に検出することができ、制御部品１は指紋検出手段５によって検出された全ての静電容量値を取得しても良く、それから、検出された全ての静電容量値に基づいて指紋データを生成して、生成された指紋データを予め記憶された基準指紋データと比較し、生成された指紋データと基準指紋データとの類似度を特定しても良く、生成された指紋データと基準指紋データとの類似度が所定の類似度範囲内にあれば、所定の制御指令を実行しても良い。制御部品１は、生成された指紋データと基準指紋データとの類似度が所定の類似度範囲内にあると特定した後、端末現在のインターフェース表示状態を検出し、さらに、現在インターフェースの表示の状態と組み合わせて、異なる制御指令を実行しても良い。
【００５３】
本開示の実施例では、端末は、制御部品と、スクリーンカバープレート、表示部品、指紋検出手段及び複数のタッチ信号検出手段を有するスクリーンとを備え、指紋検出手段と複数のタッチ信号検出手段とは、スクリーンカバープレートと表示部品の上面との間に設けられており、指紋検出手段は、異なるタッチ信号検出手段間の空き領域に設けられており、制御部品は、指紋検出手段に電気的に接続されており、指紋検出手段の検出信号を取得し、指紋検出手段の検出信号に基づいて指紋データを生成し、指紋データを予め記憶された基準指紋データと比較し、指紋データが基準指紋データと整合した場合、所定の制御指令を実行する。これによって、端末は、スクリーンカバープレートと表示部品の上面との間の指紋検出手段の検出信号に基づいて指紋識別を行うことができ、スクリーンカバープレートに検出孔を設ける必要がなく、スクリーンカバープレートの強度を向上させることができる。
【００５４】
当業者は、明細書を考慮し、ここに公開された開示を実践した後、本開示の他の実施案を容易に想到する。本願は、本開示の如何なる変形、用途または適応的変化もカバーすることを意図する。これらの変形、用途または適応的変化は、本開示の一般的な仕組みに従い、かつ、本開示に開示されていない当分野における公知常識または慣用技術手段を含む。明細書および実施例は単なる例示と見なされ、本開示の本当の範囲および思想は添付の特許請求の範囲によって与えられる。
【００５５】
本開示が以上で記載され、且つ図面に示された正確な構造に限定されるものでなく、その要旨を逸脱しない範囲で様々な補正や変更も可能であることは理解されるべきである。本開示の範囲は、添付する特許請求の範囲のみによって限定される。
【符号の説明】
【００５６】
１  ：制御部品
２  ：スクリーン
３  ：スクリーンカバープレート
４  ：表示部品
５  ：指紋検出手段
６  ：タッチ信号検出手段
７  ：指紋識別器
８  ：プロセッサ
９  ：タッチコントローラ
【図１】
0006739442.tif 000002
【図２】
0006739442.tif 000003
【図３】
0006739442.tif 000004
【図４】
0006739442.tif 000005
【図５】
0006739442.tif 000006
【図６ａ】
0006739442.tif 000007
【図６ｂ】
0006739442.tif 000008
【図７ａ】
0006739442.tif 000009
【図７ｂ】
0006739442.tif 000010